(57)【要約】  希釈可能な洗浄剤ゲル濃縮物、分配パッケージと組み合わせた希釈洗可能な洗浄剤ゲル濃縮物、及び洗浄剤ゲル濃縮物を用いる方法が記載されている。ゲル濃縮物は、ゲル化点を有するゲル濃縮物を提供する界面活性剤系を含み、ゲル化点では、ゲル濃縮物を、室温で高粘性の「硬い」ゲルから低粘性の薄い液体に変換し、ゲル濃縮物が、温水又は熱水と組み合わせられたとき、薄い液体は容易に混合されて、液体濃縮物及び水が均一に分散した水溶液を提供する。室温でのゲルの粘度は、約５０〜約５０００Ｐａ−ｓである。ゲル濃縮物は圧搾型ディスペンサーにパッケージ化されることができる。ゲル濃縮物は、手で軽く押すとディスペンサーから流れるように十分に剪断減粘される。界面活性剤系の主界面活性剤は、高エトキシル化アルコールエーテル類、及び高ポリエトキシル化アルコール類である。【特許請求の範囲】
【請求項１】
洗浄ゲル濃縮物から洗浄液を調製する方法であって、
（Ａ）洗浄ゲル濃縮物を提供する工程であって、前記洗浄ゲル濃縮物は、
（１）式ＲＯ（ＣＨ２ＣＨ２Ｏ）ｘＨを有する、エトキシル化アルコールエーテル類又はポリエトキシル化アルコール類からなる群から選択される少なくとも１つの主界面活性剤を約１０〜約５０重量％（Ｒは、（ｉ）ＣｙＨ２ｙ＋１（ｙ＞１０）のアルキルラジカル又は（ｉｉ）オレイルラジカルであり、ｘ＞１５である）、
（２）主界面活性剤とは異なるアルコールエトキシレート、アルキルアリールスルホン酸塩、アルキルスルホン酸塩、アルキル硫酸塩、アルキルエーテル硫酸塩、及びアルキルジメチルアミンオキシドの１つ以上を含む少なくとも１つの補助界面活性剤を０〜約１５重量％、
（３）１つ以上のレオロジー調整剤を０〜５重量％、
（４）１つ以上の香料を０〜約１０重量％、
（５）１つ以上の酸を０〜約５重量％、
（６）１つ以上のアルカリ剤を０〜約５重量％、
（７）１つ以上の抗菌剤を０〜約５重量％、
（８）１つ以上の水溶性染料を０〜約０．１重量％、
（９）１つ以上の防腐剤を０〜約１重量％、
（１０）１つ以上の漂白剤を０〜約５重量％、
（１１）１つ以上の洗剤ビルダーを０〜約５重量％、
（１２）１つ以上の洗浄溶媒を０〜約５重量％、
（１３）１つ以上の塩を０〜約５重量％、
（１４）１つ以上の酵素を０〜約１重量％、及び
（１５）残余の水を含み、
前記洗浄ゲル濃縮物は、約２５℃での粘度が約５０，０００〜約５，０００，０００ｃＰであり、
前記主界面活性剤及び前記補助界面活性剤は、約３５℃〜約５５℃の範囲内のゲル化点を有する洗浄ゲル濃縮物を提供する界面活性剤系を提供する、工程と、
（Ｂ）前記洗浄ゲル濃縮物を任意の量の水と、前記洗浄ゲル濃縮物対前記水の（重量％に基づく）割合を、１：１０〜１：２０００として組み合わせる工程とを含み、
前記水は、洗浄ゲル濃縮物のゲル化点より高い温度であり、前記量及び前記温度で、前記洗浄ゲル濃縮物を前記洗浄ゲル濃縮物の前記粘度から前記水と混合する濃度を有する液体に変換して、前記液体及び水が均一に分散されている水性洗浄液を提供するために十分である、方法。
【請求項２】
洗浄濃縮製品であって、
（Ａ）ゲル状の洗浄濃縮組成物であって、
（１）式ＲＯ（ＣＨ２ＣＨ２Ｏ）ｘＨを有する、エトキシル化アルコールエーテル類又はポリエトキシル化アルコール類からなる群から選択される少なくとも１つの主界面活性剤を約１０〜約５０重量％（Ｒは、（ｉ）ＣｙＨ２ｙ＋１（ｙ＞１０）のアルキルラジカル又は（ｉｉ）オレイルラジカルであり、ｘ＞１５である）、
（２）主界面活性剤とは異なるアルコールエトキシレート、アルキルアリールスルホン酸塩、アルキルスルホン酸塩、アルキル硫酸塩、アルキルエーテル硫酸塩、及びアルキルジメチルアミンオキシドの１つ以上を含む少なくとも１つの補助界面活性剤を０〜約１５重量％、
（３）１つ以上のレオロジー調整剤を０〜５重量％、
（４）１つ以上の香料を０〜約５重量％、
（５）１つ以上の酸を０〜約５重量％、
（６）１つ以上のアルカリ剤を０〜約５重量％、
（７）１つ以上の抗菌剤を０〜約５重量％、
（８）１つ以上の水溶性染料を０〜約０．１重量％、
（９）１つ以上の防腐剤を０〜約１重量％、
（１０）１つ以上の漂白剤を０〜約５重量％、
（１１）１つ以上の洗剤ビルダーを０〜約５重量％、
（１２）１つ以上の洗浄溶媒を０〜約５重量％、
（１３）１つ以上の塩を０〜約５重量％、
（１４）１つ以上の酵素を０〜約１重量％、及び
（１５）残余の水を含み、
前記洗浄濃縮組成物は、約２５℃での粘度が約５０，０００〜約５，０００，０００ｃＰであり、
前記主界面活性剤及び前記補助界面活性剤は、約３５℃〜約５５℃の範囲内のゲル化点を有する洗浄濃縮組成物を提供する界面活性剤系を提供し、
洗浄濃縮組成物は、洗浄濃縮組成物のゲル化点以上の温度を有する水と組み合わされた場合、液体に遷移するように構成される、洗浄ゲル濃縮組成物と、
（Ｂ）前記洗浄濃縮組成物を含む圧搾型分配パッケージとを含み、
前記組成物は、前記パッケージの外壁に、手動で圧力を適用して前記パッケージから流れるように室温で十分に剪断減粘される、洗浄濃縮製品。
【請求項３】
洗浄濃縮製品であって、
（Ａ）ゲル状の洗浄濃縮組成物であって、
（１）式ＲＯ（ＣＨ２ＣＨ２Ｏ）ｘＨを有する、エトキシル化アルコールエーテル類又はポリエトキシル化アルコール類からなる群から選択される少なくとも１つの主界面活性剤を約１０〜約５０重量％（Ｒは、（ｉ）ＣｙＨ２ｙ＋１（ｙ＞１０）のアルキルラジカル又は（ｉｉ）オレイルラジカルであり、ｘ＞１５である）、
（２）主界面活性剤とは異なるアルコールエトキシレート、アルキルアリールスルホン酸塩、アルキルスルホン酸塩、アルキル硫酸塩、アルキルエーテル硫酸塩、及びアルキルジメチルアミンオキシドの１つ以上を含む少なくとも１つの補助界面活性剤を０〜約１５重量％、
（３）１つ以上のレオロジー調整剤を０〜約５重量％、
（４）１つ以上の香料を０〜約５重量％、
（５）１つ以上の酸を０〜約５重量％、
（６）１つ以上のアルカリ剤を０〜約５重量％、
（７）１つ以上の抗菌剤を０〜約５重量％、
（８）１つ以上の水溶性染料を０〜約０．１重量％、
（９）１つ以上の防腐剤を０〜約１重量％、
（１０）１つ以上の漂白剤を０〜約５重量％、
（１１）１つ以上の洗剤ビルダーを０〜約５重量％、
（１２）１つ以上の洗浄溶媒を０〜約５重量％、
（１３）１つ以上の塩を０〜約５重量％、
（１４）１つ以上の酵素を０〜約１重量％、及び
（１５）残余の水を含み、
前記洗浄濃縮組成物は、約２５℃での粘度が約５０，０００〜約５，０００，０００ｃＰであり、
前記主界面活性剤及び前記補助界面活性剤は、約３５℃〜約５５℃の範囲内のゲル化点を有する洗浄濃縮組成物を提供する界面活性剤系を提供し、
前記洗浄濃縮組成物は、洗浄濃縮組成物のゲル化点以上の温度を有する水と組み合わされた場合、液体に遷移するように構成される、洗浄濃縮組成物と、
（Ｂ）前記洗浄濃縮組成物を含む水溶性分配パッケージとを含み、
前記分配パッケージは、前記分配パッケージを、洗浄濃縮組成物のゲル化点以上の温度を有する水の中に配置して、溶解させた際に、前記洗浄濃縮組成物が、水と混合する液体に遷移されて水性溶液を形成するように構成される、洗浄濃縮製品。
【請求項４】
ｙは、１０〜２２である、請求項１に記載の方法。
【請求項５】
前記主界面活性剤は、前記エトキシル化アルコールエーテル類又は前記ポリエトキシル化アルコール類の混合物であり、ｙは、前記アルキルラジカル中で１６〜２２の混合物であり、ｘは約２０〜約７５である、請求項１に記載の方法。
【請求項６】
前記主界面活性剤は、前記エトキシル化アルコールエーテル類又は前記ポリエトキシル化アルコール類の混合物であり、ｙは、前記アルキルラジカル中で１６〜１８の混合物であり、ｘは約２０〜約３０である、請求項１に記載の方法。
【請求項７】
前記主界面活性剤は、約１５重量％〜約３０重量％の量で存在する、請求項１に記載の方法。
【請求項８】
前記酸は、ギ酸、酢酸、プロピオン酸、安息香酸、フタル酸、マロン酸、コハク酸、シュウ酸、グリコール酸、乳酸、グルコン酸、グルコヘプタン酸、リンゴ酸、クエン酸、アクリル酸の単独重合体及び共重合体、マレイン酸の単独重合体及び共重合体、アミノカルボン酸キレート剤、及びアミノ酸ホスホン酸キレート剤の１つ以上である、請求項１に記載の方法。
【請求項９】
前記アルカリ剤は、アルカリ金属水酸化物、アルカリ土類水酸化物、アルカリ金属酸化物、アルカリ土類酸化物、炭酸塩のアルカリ金属塩、重炭酸塩のアルカリ金属塩、リン酸塩のアルカリ金属塩、ホウ酸塩のアルカリ金属塩、ケイ酸塩のアルカリ金属塩、アルミン酸塩のアルカリ金属塩、アンモニア、エタノールアミン、イソプロパノールアミン、アクリル酸の単独重合体及び共重合体の中和された塩、マレイン酸の単独重合体及び共重合体の中和された塩、アミノカルボン酸の中和された塩、アミノホスホン酸の中和された塩の１つ以上である、請求項１に記載の方法。
【請求項１０】
前記ゲル化点は、約４０℃〜約５０℃である、請求項１に記載の方法。
【請求項１１】
前記ゲル化点は、約４０℃〜約４５℃である、請求項１に記載の方法。
【請求項１２】
（Ｂ）での水の温度は、約３５℃以上である、請求項１に記載の方法。
【請求項１３】
（Ｂ）での水の温度は約４０℃〜約５０℃である、請求項１に記載の方法。
【請求項１４】
前記洗浄ゲル濃縮物を圧搾チューブにパッケージ化する工程をさらに含み、前記洗浄ゲル濃縮物は、前記チューブを圧搾して、前記洗浄ゲル濃縮物がチューブから流れるように、室温で十分に剪断減粘される、請求項１に記載の方法。
【請求項１５】
前記洗浄ゲル濃縮物は、前記主界面活性剤及び前記補助界面活性剤を含み、前記補助界面活性剤は、前記アルコールエトキシレートである、請求項１に記載の方法。
【請求項１６】
前記補助界面活性剤は、主界面活性剤と異なる前記アルコールエトキシレートの２つ以上であり、主界面活性剤と異なる前記アルコールエトキシレートは、（ｉ）１０〜１８個の炭素原子を有するアルキルラジカル、及び（ｉｉ）約４〜約１２のエチレンオキシド単位を有する、請求項１に記載の方法。
【請求項１７】
前記補助界面活性剤は、（ａ）主界面活性剤と異なる前記アルコールエトキシレートの２つ以上及び（ｂ）約４〜約１２のエチレンオキシド単位を有するオレイルアルコールエトキシレートからなる群から選択され、主界面活性剤と異なる前記アルコールエトキシレートは、（ｉ）１０〜１４個の炭素原子を有する分岐アルキルラジカル、及び（ｉｉ）約４〜約１２のエチレンオキシド単位を有する、請求項１に記載の方法。
【請求項１８】
ｙは、１０〜２２である、請求項２に記載の濃縮製品。
【請求項１９】
前記主界面活性剤は、前記エトキシル化アルコールエーテル類又は前記ポリエトキシル化アルコール類の混合物であり、ｙは、前記アルキルラジカル内で１６〜１８の混合物であり、ｘは約２０〜約７５である、請求項２に記載の濃縮製品。
【請求項２０】
前記主界面活性剤は、前記エトキシル化アルコールエーテル類又は前記ポリエトキシル化アルコール類の混合物であり、ｙは、前記アルキルラジカル内で１６〜１８の混合物であり、ｘは約２０〜約３０である、請求項２に記載の濃縮製品。
【請求項２１】
前記主界面活性剤は、約１５重量％〜約３０重量％の量で存在する、請求項２に記載の濃縮製品。
【請求項２２】
前記酸は、ギ酸、酢酸、プロピオン酸、安息香酸、フタル酸、マロン酸、コハク酸、シュウ酸、グリコール酸、乳酸、グルコン酸、グルコヘプタン酸、リンゴ酸、クエン酸、アクリル酸の単独重合体及び共重合体、マレイン酸の単独重合体及び共重合体、アミノカルボン酸キレート剤、及びアミノ酸ホスホン酸キレート剤の１つ以上である、請求項２に記載の濃縮製品。
【請求項２３】
前記アルカリ剤は、アルカリ金属水酸化物、アルカリ土類水酸化物、アルカリ金属酸化物、アルカリ土類酸化物、炭酸塩のアルカリ金属塩、重炭酸塩のアルカリ金属塩、リン酸塩のアルカリ金属塩、ホウ酸塩、ケイ酸塩、アルミン酸塩、アンモニア、エタノールアミン、イソプロパノールアミン、アクリル酸の中和された塩、マレイン酸の中和された塩、アミノカルボン酸の中和された塩、及びアミノホスホン酸の中和された塩の１つ以上である、請求項２に記載の濃縮製品。
【請求項２４】
前記ゲル化点は、約４０℃〜約５０℃である、請求項２に記載の濃縮製品。
【請求項２５】
前記ゲル化点は、約４０℃〜約４５℃である、請求項２に記載の濃縮製品。
【請求項２６】
（Ｂ）での水の温度は、約３５℃以上である、請求項２に記載の濃縮製品。
【請求項２７】
（Ｂ）での水の温度は約４０℃〜約５０℃である、請求項２に記載の濃縮製品。
【請求項２８】
前記洗浄濃縮組成物は、前記主界面活性剤及び補助界面活性剤を含み、前記補助界面活性剤は、（ｉ）１０〜１８個の炭素原子を有するアルキルラジカル、及び（ｉｉ）約４〜約１２のエチレンオキシド単位を有する、１つ以上の非イオン性アルコールエトキシレート界面活性剤である、請求項２に記載の濃縮製品。
【請求項２９】
前記洗浄濃縮組成物は、前記主界面活性剤及び補助界面活性剤を含み、前記補助界面活性剤は、（ａ）１つ以上の非イオン性アルコールエトキシレート界面活性剤、及び（ｂ）約４〜約１２のエチレンオキシド単位を有するオレイルアルコールエトキシレートからなる群から選択され、非イオン性アルコールエトキシレート界面活性剤は、（ｉ）１０〜１４個の炭素原子を有する分岐鎖アルキルラジカル、及び（ｉｉ）約４〜約１２のエチレンオキシド単位を有する、請求項２に記載の濃縮製品。
【発明の詳細な説明】
【技術分野】
【０００１】
［関連出願］
本出願は、「希釈可能なゲル洗浄濃縮物」の名称で、２０１３年９月２７日に出願された米国仮出願番号第６１／８８３，７２１号の利益を主張する。
【０００２】
本発明は、希釈可能な洗浄剤濃縮組成物、及び洗浄剤濃縮組成物を用いる方法に関する。濃縮物は、「硬い」又は高粘性のゲル状であり、濃縮物のゲル化温度以上の温度を有する水で容易に希釈可能で、水性洗浄液を提供する。洗浄液は、主に家庭用品の表面から汚れを洗浄するために適する。
【背景技術】
【０００３】
低粘度液状又は注入可能な粘性液状である洗浄剤濃縮物は、当該分野で知られている。このような液体濃縮物が使用される場合、液体濃縮物を一般に水含有バケツに注ぎ、希釈させて、モップ、スポンジ又は他のアプリケータによって被洗浄表面に適用される洗浄液を提供する。このような液体濃縮物の問題は、適量以上の液体洗浄剤が測定される工程を必要とすることである。一般的に、洗浄剤濃縮物を分配する容器キャップが使用されると、追加の段階が必要となるだけでなく、多くの場合、濃縮液が、キャップから容器及び／又はバケツ及び／又は使用者上に滴下したときに汚染を引き起こす。測定援助が利用されないと、あまりにも薄め又は希薄の溶液が提供されたり、あまりにも濃い溶液が提供されて、またあまりにも濃い溶液では、濃縮物を無駄にすることがある。また、液体濃縮物は、従来、運び難い又は重い、中型から大型の重いプラスチック容器にパッケージ化されていて、非使用時に相当な貯蔵空間が必要となり、また、容器が、社会で再利用できなかったり、使用者によって再利用されない場合、環境に有害になり得る廃棄物を提供する。
【０００４】
ゲル洗浄濃縮物もまた、当技術分野で知られている。しかし、ゲル洗浄濃縮物は、ある期間にわたって適所に有用となるように、水と接触した際に完全に溶解することが意図されていないか、又はゲル洗浄濃縮物が即時使用されるように水で完全に溶解されることが意図される範囲で、水で容易に溶けることができず、追加の混合時間及び使用者方での作用が必要となる。
【０００５】
本発明は、物理的な構造によって別個の測定援助が必要でなく、温水又は熱水と組み合わせた場合に大規模な混合作用が必要でなく、より小さな分配容器にパッケージ化可能で、易い輸送、貯蔵、及び分配容器が再利用されない場合でのより小さなエコロジカル・フットプリント（ｅｃｏｌｏｇｉｃａｌ  ｆｏｏｔｐｒｉｎｔ）を提供する、洗浄剤ゲル濃縮物を提供することによって上記の問題に対処する。
【発明の概要】
【課題を解決するための手段】
【０００６】
希釈可能な洗浄剤ゲル濃縮組成物、分配パッケージと組み合わせた希釈可能な洗浄剤ゲル濃縮組成物を含む洗浄濃縮製品、及び洗浄剤ゲル濃縮組成物を用いる方法が記載されており、これらは、従来技術の欠点を克服する。
【０００７】
希釈可能な洗浄剤ゲル濃縮物は、高粘性又は「硬い」ゲルとしての濃縮物を提供するゲル化系の基盤である界面活性剤系を含むものであって、濃縮物の「ゲル化温度」以上の温度を有する任意の量の水、好ましくは温水又は熱水と混合したときに、容易に薄い又は低粘度の液体に変換する。
【０００８】
また、「硬い」けれども、分配可能なゲル状である洗浄剤濃縮物は、使い易い分配パッケージ、好ましくは柔軟な壁又は圧搾型分配パッケージと組み合わされ、好ましくは折り畳み可能である。
【０００９】
希釈可能な洗浄剤濃縮組成物のゲルレオロジーは、ゲル濃縮組成物が、例えば、片手又は両手の圧搾によって、手で分配パッケージの外側壁を押して分配パッケージから容易に分配されることができるように設計される。ゲル濃縮物は、室温超過の温度を有する水中に置かれたときに、高粘性ゲル濃縮物を、薄い（低粘度）液体に変換する「ゲル化温度」又はゲル化点を有していて、その水は、好ましくは適度な温水又は熱水であり、より好ましくは約３５℃（９５°Ｆ）以上の水の温度であり、より好ましくは約４０〜約５０℃（１０４〜１２２°Ｆ）範囲内での温度である。従って硬いゲル濃縮物が、温水／熱水で薄い液体に変換する際に、濃縮物が、簡単かつ迅速、完全に、水と混合して、液体濃縮物及び水の両方が均一に分散した水性洗浄液を提供する。ゲル濃縮物がパッケージ化されていて使用者によって分配されたとき、ゲル濃縮物は、硬い外観を有しており、重力の影響でその形状が保持される、すなわち、それは相当な流れ又は「クリープ」のないものであって、使用者に、ゲルは高濃縮された洗浄剤であることを知らせて、機能又は調節可能な物理的組成構造の濃縮物を提供する。従って、「硬い」ゲル濃縮物は、薄い液体及び低粘性液体濃縮物とは異なり、分配容器の外側にはねたり、こぼれたり、流れることなく、きれいに分配される。さらに、ゲル濃縮物は、高粘性の物理的構造に基づいて、ゲル濃縮物の形状が保持されるから、使用される洗浄剤濃縮物の量の測定は、視覚的に決定して調節することができて、キャップ又は他の測定補助で測定する必要はない。
【００１０】
ゲル濃縮組成物は、多量の主界面活性剤を含む界面活性剤系を含むものであって、好ましくは約１０〜約５０重量％、より好ましくは約１５重量％〜約３０％である。主界面活性剤は、ゲル化系だけでなく、組成物の洗浄成分の一部であるが、又はこれを形成する。主界面活性剤の量は、ゲル濃縮物が大量の水で希釈される場合、希釈された洗浄剤組成物が、様々な家庭用品の汚れに対して効果的な洗浄特性を保持し、また使用者に洗浄を示す合図となる可視的な発泡を提供することを保証する。ゲル濃縮物はまた、少量の補助界面活性剤、ならびに微量のアジュバント洗浄成分、例えば、酸剤又はアルカリ剤類、酵素類、洗剤ビルダー類、漂白剤類、洗浄溶媒類、塩類、殺生物剤類、香料油類、及び防腐剤類を、必要又は所望に応じて優れた洗浄性能及び／又は安定性のために含んでもよい。さらに、好ましくは、ゲル濃縮物は、透明で、不透明なものではない。しかしながら、ゲルは、染料又は他の着色剤、若しくは美的効果を提供するための可視的粒子を含んでもよい。
【００１１】
ゲル濃縮物は、室温で高粘性であり、すなわち約２５℃の低剪断条件下で約５０〜約５０００Ｐａ−ｓ（５０，０００〜５，０００，０００センチポアズ（ｃＰ））である。例えば手動圧搾によって、貯蔵／分配パッケージの外側を軽く押したとき、ゲル濃縮物がパッケージから流れるように、ゲル濃縮物は、十分に剪断減粘される必要がある。
【００１２】
上述したように、ゲル濃縮組成物の界面活性剤系は、ゲル化系の基礎を形成する。ゲル濃縮物は、室温を超過したゲル化点（すなわち、硬い高粘性ゲルが、比較的非粘性の薄い液体に遷移される温度）を有するものであって、好ましくは約３５℃〜約５５℃の範囲であり、より好ましくは約４０℃〜約５０℃の範囲であり、そして最も好ましくは約４０℃〜約４５℃の範囲内であり、ゲル濃縮物のゲル化温度以上の温度を有する水（好ましくは適度な温水又は熱水である）への配置時又は添加時に、ゲル濃縮物は、水で簡単かつ容易に溶解／混合／希釈する。
【発明を実施するための形態】
【００１３】
ゲル状の希釈可能な高粘度洗浄剤濃縮物であって、
（１）式ＲＯ（ＣＨ２ＣＨ２Ｏ）ｘＨで表される、エトキシル化アルコールエーテル及び／又はポリエトキシル化アルコールの少なくとも１つの主界面活性剤を約１０〜約５０重量％（Ｒは、ＣｙＨ２ｙ＋１（ｙ＞１０）のアルキルラジカル又はオレイルラジカル（Ｃ１８Ｈ３５）であり、ｘは約１５以上である）、
（２）アニオン性、非イオン性、カチオン性、両性イオン性及び／又は両性界面活性剤の１つ以上、特に好ましくは、上記（１）で記載された主界面活性剤とは異なるアルコールエトキシレート、アルキルアリールスルホン酸塩、アルキルスルホン酸塩、アルキル硫酸塩、アルキルエーテル硫酸塩、及びアルキルジメチルアミンオキシドの１つ以上を含む少なくとも１つの補助界面活性剤を０〜約１５重量％、
（３）上記（１）及び（２）と異なるレオロジー調整剤を０〜約５重量％、
（４）香料類を０〜約１０重量％、
（５）酸類を０〜約５重量％、
（６）アルカリ剤類を０〜約５重量％、
（７）抗菌剤類を０〜約５重量％、
（８）水溶性染料類を０〜約０．１重量％、
（９）防腐剤類を０〜約１重量％、
（１０）漂白剤類を０〜約５重量％、
（１１）洗剤ビルダーを０〜約５重量％、
（１２）洗浄溶媒類を０〜約５重量％、
（１３）塩又は塩類を０〜約５重量％、
（１４）酵素類を０〜約１重量％、及び
（１５）残余の水を含み、
前記ゲル濃縮組成物は、約２５℃での粘度が約５０，０００〜約５，０００，０００ｃＰであり、
前記ゲル主界面活性剤類及び補助界面活性剤類は、好ましくは約３５℃〜約５５℃の範囲内でのゲル化点を有するゲル濃縮物を提供する界面活性剤系を提供することが記載されている。
【００１４】
別の実施形態は、上記記載された希釈可能な洗浄剤ゲル濃縮物、及び希釈可能な洗浄剤ゲル濃縮物を含む、好ましくは折り畳み可能である柔軟な壁又は圧搾型分配パッケージを含む洗浄濃縮製品であって、ゲル濃縮物は、パッケージの外壁を手で押したり、パッケージの壁を分解したりしたとき、パッケージから流れるように十分に剪断減粘される。
【００１５】
上記記載されたゲル状の希釈可能な洗浄剤濃縮物からの洗浄液の製造方法は、（ａ）ゲル状の希釈可能な洗浄剤濃縮物を提供する工程と、（ｂ）ゲル状の洗浄剤濃縮物及び任意の量の水を組み合わせる工程とを含み、前記水は、濃縮物のゲル化温度以上の温度であり、洗浄剤濃縮物を、高粘度のゲル洗浄濃縮物から、薄い低粘度「すなわち、約１Ｐａ−ｓ（１，０００ｃＰ）以下」の液体に変換するための量及び温度が十分なものであって、薄い低粘度の液体は水と容易に混合して、液体濃縮物及び水が均一に分散した水性洗浄液を提供する。水に対するゲル濃縮物の好ましい希釈比は、重量％に基づいて約１：１０〜約１：２０００である。
【００１６】
希釈可能な高粘度洗浄剤ゲル濃縮物は、「硬い」けれども、分配可能なゲルであって、これを使うためには、好ましくは使い易い分配パッケージ、例えば柔軟な壁圧搾型分配パッケージ又は水溶性単回使用ポーチパッケージと組み合わされる。洗浄剤ゲル濃縮物のゲルレオロジーは、洗浄剤濃縮物が、例えば片手又は両手の圧搾によって、手でパッケージの外壁を押すとパッケージから容易に分配されることができるように設計される。高粘性ゲル濃縮物は、「ゲル化温度」又はゲル化点を有し、ゲル濃縮物が、室温を超過した温度の水で薄い液体に変換し、この水は、好ましくは適度な温水又は熱水であり、より具体的に好ましくは、約３５℃（９５°Ｆ）以上の温度の水であり、さらに好ましくは約４０℃〜約５０℃（１０４〜１２２°Ｆ）の範囲である。従って、硬い高粘度ゲル濃縮物は、ゲル化点以上の温度の水で、特に温水又は熱水で、薄い低粘度の液体に変換するとき、液体濃縮物は、水と簡単かつ迅速、完全に混合して水性洗浄液を形成する。その後、洗浄液は、例えば、スポンジ、モップ、タオル等を用いて表面に適用する従来の方法で用いられる。
【００１７】
パッケージで、使用者によって分配されると、ゲル濃縮物は硬い外観を有しており、すなわち、ゲル濃縮物は、重力の影響下でその形状が保持されて、相当な流れ又は「クリープ」のないものであって、使用者に、ゲルは高濃縮された洗浄剤であることを知らせる。また、「硬い」ゲル濃縮物は、薄い液体及び低粘性液体洗浄濃縮物とは異なり、分配容器の外側にはねたり、こぼれたり、流れることなく、きれいに分配される。さらに、ゲル濃縮物のこの物理的構造によって、すなわち別個の測定補助を必要せず、ゲル濃縮物の分散がきちんとして視覚的に調節することができる。
【００１８】
高粘度ゲル濃縮物は、ゲル化系の基盤である界面活性剤系を含む。界面活性剤系は、少なくとも１つの多量の主界面活性剤を含み、好ましくは約１０〜約５０重量％（全ゲル濃縮組成物が１００重量％に基づいていることが理解された）、より好ましくは約１５〜約３０重量％であり、洗浄剤ゲル濃縮物が多量の水で希釈されると、希釈された組成物は、様々な家庭用品の汚れに対して効果的な洗浄特性を保持し、また使用者に洗浄作用を示すように可視的な「発泡」合図を提供する。界面活性剤系の界面活性剤（主界面活性剤又は補助界面活性剤に関係なく）は、好ましくは、優れた生態毒性プロフィールを有して、濃縮物は使用者に対して比較的無害であり、そして環境に有害ではない。好ましくは、主界面活性剤成分は、１つ以上の高エトキシル化脂肪アルコールエーテル、又はポリエトキシル化アルコール、ＲＯ（ＣＨ２ＣＨ２Ｏ）ｘＨ非イオン性界面活性剤である。界面活性剤系の界面活性剤は、以下にさらに記載されている。
【００１９】
希釈可能な洗浄剤ゲル濃縮物は、室温で高粘性であり、すなわち、低剪断条件下で約２５℃で約５０〜約５０００Ｐａ−ｓ（５０，０００〜５，０００，０００ｃＰ）である。ゲル濃縮物は、例えば、手動圧搾によって手で軽く押して、分配パッケージから流れるように、相当に剪断減粘されるべきである。
【００２０】
ゲル濃縮物は、好ましくは、不透明又は半透明ではなく、「透明」であるものであって、これは、使用者にさらに魅力的である。しかしながら、ゲルは、染料又は他の着色剤、若しくは別の美的効果のための可視的粒子を含んでもよい。
【００２１】
好ましくは、ゲル濃縮物は、使用者が内部の製品を見ることができるように、透明パッケージで提供される。好ましいパッケージ形態は、１つ以上の分配オリフィス及びキャップが付いている、透明又は半透明の柔軟なチューブ型パッケージである。低コストの単回使用ポーチ又はプラスチックバイアルなどの代替パッケージ形態も望ましい場合がある。好ましくは、分配パッケージは、手で圧搾したとき容易に折り畳み可能である。ゲル濃縮物は、好ましくは、染料を用いることによって着色される。
【００２２】
さらに、好ましくは、ゲルは、香料が添加されている。最も好ましくは、ゲル濃縮物が大量の水で希釈されるときに、使用者が明確に香料の存在を検出することができるように、ゲルは、相当量（約１％以上）の香料を含む。水に対するゲル濃縮物のおおよその希釈比は、約１／１０〜約１／２０００重量％である。希釈可能なゲル濃縮物は、香料が濃縮物に含まれている場合、好ましくは、約１〜約１０重量％の高含有量の香料を有する。
【００２３】
ゲル濃縮物はまた、良好な洗浄性能及び／又は安定性を提供するために必要又は所望に応じて、１つ以上の補助洗浄成分、例えば、酸又はアルカリ剤類、酵素類、洗剤ビルダー類、溶媒類、殺生剤類、漂白剤類、塩類、レオロジー調整剤類、及び防腐剤類等を少量含んでもよい。
【００２４】
高粘度ゲル濃縮物は、室温を超過した温度でゲル化点（すなわち、希釈可能な濃縮物の硬い高粘性ゲルが、比較的非粘性の薄い液体に遷移される温度）を有していて、好ましくは約３５℃〜約５５℃の範囲であり、好ましくは約４０℃〜約５０℃の範囲で、そして最も好ましくは約４０℃〜約４５℃の範囲内であり、ゲル濃縮物は、添加時、適切な温水又は熱水で、簡単かつ迅速に溶解／混合／希釈する。
【００２５】
希釈可能な高粘度洗浄剤ゲル濃縮物は、以下の表１に示すような成分からからなる。希釈可能な洗浄剤ゲル濃縮物は、１００重量％の合計に基づいている。従って、成分は、１００重量％になるように選択される。
【００２６】
【表１】
2016535111.tif 000002
【００２７】
主界面活性剤類は、ＲＯ（ＣＨ２ＣＨ２Ｏ）ｘＨで表される、高エトキシル化アルコールエーテル類及びポリエトキシル化アルコールから選択される１つ以上の界面活性剤であり、Ｒはオレイルラジカル（Ｃ１８Ｈ３５）又はアルキルラジカルＣｙＨ２ｙ＋１（Ｙ＞１０）であり、前記エトキシル化度ｘは、１５以上である。好ましくは、これらの主界面活性剤は、１０〜２２（より好ましくは１６〜２２個）の炭素原子のアルコール又はそれらの混合物をむ。より好ましくは、主界面活性剤は、約２０〜約７５のエチレンオキシド単位又はエトキシ基（ＥＯ）、好ましくは約２０〜約３０のＥＯと、Ｃ１６〜Ｃ１８アルキルエトキシレート又はオレイルアルコールエトキシレートとの混合物を含む。主界面活性剤は、ゲル濃縮物中の界面活性剤系の主界面活性剤成分であり、洗浄剤及びゲル化剤の両方として機能する。
【００２８】
補助界面活性剤は、非イオン性、アニオン性、カチオン性、両性イオン性及び両性界面活性剤から選択することができる。好ましくは、補助界面活性剤は、上述の主界面活性剤と異なるアルコールエトキシレート、アニオン性アルキルアリールスルホン酸塩、アルキルスルホン酸塩、アルキル硫酸塩、アルキルエーテル硫酸塩、及びアルキルジメチルアミンオキシドの１つ以上である。好適な補助界面活性剤は、好ましくは約４〜１２のエトキシ（ＥＯ）基を有するＣ１０〜Ｃ１８エトキシル化アルコールである、非イオン性アルコールエトキシレートである。より好ましくは、分岐鎖Ｃ１０〜Ｃ１４アルキル残基、及び４〜１２のエトキシ（ＥＯ）基を有する非イオン性アルコールエトキシレート界面活性剤であり、４〜１２のエトキシ（ＥＯ）基を有するオレイルアルコールエトキシレートである。補助界面活性剤は、希釈可能な洗浄剤ゲル濃縮物を形成する界面活性剤系の微量成分である。補助界面活性剤は、洗浄剤及びゲル化剤の両方として機能する。
【００２９】
ゲル濃縮物のレオロジー改質剤成分は、ゲル化温度及び／又はゲル粘度を低下させるのに役立つ。この目的に適合な製剤は、（これらに限定されない）有機溶剤類、種々の水溶性重合体類、及び無機塩類が挙げられる。好ましい有機溶媒は、種々のアルコール類、グリコール類、及びグリコールエーテル類が挙げられる。好ましい水溶性重合体は、種々の分子量のポリエチレングリコール（ＰＥＧ）が挙げられる。好ましい塩は、アルカリ金属塩化物、アルカリ金属硫酸塩（塩化マグネシウム、硫酸マグネシウム）、及び完全に又は部分的に中和された有機カルボン酸類のアルカリ金属塩が挙げられる。特に好ましい塩は、塩化ナトリウム、及びクエン酸三ナトリウムが挙げられる。
【００３０】
ゲル濃縮物の酸成分は、種々の酸類の１つ以上であることがある。使用に適した酸には、ギ酸、酢酸、プロピオン酸、安息香酸、フタル酸、マロン酸、コハク酸、シュウ酸、グリコール酸、乳酸、グルコン酸、グルコヘプタン酸、リンゴ酸、クエン酸、アクリル酸の単独重合体又は共重合体、マレイン酸の単独重合体及び共重合体、アミノカルボン酸キレート剤（例えば、エチレンジアミンテトラ酢酸（ＥＤＴＡ）、ニトリロトリ酢酸（ＮＴＡ）、ヒドロキシエチルエチレンジアミントリ酢酸（ＨＥＤＴＡ）、イミノジアミン酸（ＩＤＡ）など）、及び種々のアミノホスホン酸キレート剤が挙げられる。酸成分は、硬水堆積物を除去することにより、洗浄剤として機能し、水コンディショナーとして機能する。
【００３１】
ゲル濃縮物のアルカリ剤は、アルカリ金属水酸化物及びアルカリ土類水酸化物、アルカリ金属酸化物又はアルカリ土類酸化物、炭酸塩、重炭酸塩、リン酸塩、ホウ酸塩、ケイ酸塩、及びアルミン酸塩のいずれかのアルカリ金属塩、アンモニア、エタノールアミン、及びイソプロパノールアミン、ならびに有機カルボン酸類、アクリル酸の単独重合体及び共重合体、マレイン酸の単独重合体及び共重合体、アミノカルボン酸類及びアミノホスホン酸キレート剤類の完全又は部分的に中和された塩の１つ以上であることがある。アルカリ剤成分は、様々な汚れの除去を助ける洗浄剤だけでなく、水コンディショナー及び洗剤ビルダーとして作用する。
【００３２】
ゲル濃縮物の抗菌剤は、従来、このような使用のために知られている様々な材料であることがある。好ましい抗菌材料は、第四級アンモニウム化合物、フェノール化合物、及び過酸化水素が挙げられる。過酸化水素はまた、本発明の組成物中の好適な漂白剤である。
【００３３】
着色剤、防腐剤及び酵素剤として作用する種々の染料は、従来、洗浄組成物に含まれる当該分野で知られている希釈可能な高粘度洗浄剤ゲル濃縮物に含めるのに適する。酵素剤は、汚れの分解を介して洗浄剤として有用である。
【００３４】
希釈可能な高粘度洗浄剤ゲル濃縮物の好ましい例は、以下の表２に記載されている。
【００３５】
【表２】
2016535111.tif 000003
【００３６】
ゲナポールＴ−２５０：クラリアント社、セチル／ステアリルアルコールエトキシレート、２５モルＥＯ。
【００３７】
ゲナポールＴ−６８０：クラリアント社、セチル／ステアリルアルコールエトキシレート、６５モルＥＯ。
【００３８】
ゲナポールＯ−２００：クラリアント社、オレイルアルコールエトキシレート、２０モルＥＯ。
【００３９】
ゲナポールＸ−１００：クラリアント社、イソトリデシルアルコールエトキシレート、１０モルＥＯ。
【００４０】
ゲナポールＸ−０６０：クラリアント社、イソトリデシルアルコールエトキシレート、６モルＥＯ。
【００４１】
ブリジＯ５０：クローダ社、オレイルアルコールエトキシレート、５モルＥＯ。
【００４２】
プロキセルＧＸＬ：ロンザ社、水／ジプロピレングリコール中の１，２−ベンズイソチアゾリン−３−オンの２０％溶液。
【００４３】
ＰＥＧ１５００：ポリエチレングリコール、平均ＭＷ＝１５００。
【００４４】
組成物Ａ〜Ｆは、０．１２５”のオリフィス分配キャップが付いた２．０インチ径の中密度ポリエチレンプラスチック「圧搾型分配」チューブにパッケージ化されることができる。これらのゲルは、容易に手でチューブから圧搾／分配することができる。
【００４５】
上記説明したように、高粘度ゲル濃縮物は、添加時に適切な温水又は熱水で、容易に溶解／混合／希釈する。使用中ゲル濃縮物を溶解／混合／希釈する方法が変化されることができる。例えば、容器（例えば、バケツ）中の任意の量の水にゲル濃縮物を入れて、溶液を調製した後、所望のアプリケータ、例えば、スポンジ、モップ、タオルなどで洗浄する所望の表面に適用することができる。さらに、例えば、ゲル濃縮物は、例えば、スポンジ、タオル、モップヘッド等のアプリケータ上に直接配置し、アプリケータ及び／又は洗浄される表面に適用される水に添加された時に希釈され、洗浄組成物をさらに拡散し、かつ／又は洗浄される表面から組成物を洗浄することができる。後者の例では、困難な洗浄環境又は狭い面積の洗浄作業に対応するために前者の例よりも濃縮された洗浄剤を初めに適用することができる。上記は、本明細書に記載の洗浄組成物を適用／洗浄する好ましい方法であるが、さらなる変更も可能である。
【００４６】
本明細書で開示される例示的な実施形態は、網羅的であること、又は本発明の範囲を不必要に限定することを意図するものではない。例示的な実施形態は、当業者が本発明を実施できるように本発明の原理を説明するために選択され、記載された。当業者には明らかなように、種々の改変が前述の説明の範囲内で行うことができる。当業者の能力の範囲内であるこのような修正は、本発明の一部を形成して、添付の特許請求の範囲に包含される。
【国際調査報告】
2016535111.tif 000004
2016535111.tif 000005
2016535111.tif 000006